(57)【要約】【課題】２Ｄコンテンツと３Ｄコンテンツが混在する場合であってもコンテンツを快適に視聴することができるようにする。【解決手段】２Ｄ番組Ａの放送が終了し、３Ｄ番組Ｃの放送が開始されたとき、３Ｄ番組Ｃについては、ビデオデータに含まれるＬ画像のフレームとＲ画像のフレームのうちのＬ画像のフレームだけが表示される。この時点では、３Ｄ番組Ｃのビデオは２Ｄ画像として見えることになる。現在放送中の３Ｄ番組Ｃが、３Ｄ番組であると判定された場合、現在放送中の番組が３Ｄ番組であることを表す３Ｄマークｍが表示される。表示モードを３Ｄ表示モードに切り替えることが指示された場合、３Ｄ番組Ｃのビデオデータに含まれるＬ画像とＲ画像の各フレームが交互に表示される。本発明はテレビジョン受像機に適用することができる。【選択図】図５
2011216964.tif 000002
【特許請求の範囲】
【請求項１】
再生対象のコンテンツが、２Ｄ画像からなるビデオデータを有する２Ｄコンテンツと、左目用画像と右目用画像からなるビデオデータを有する３Ｄコンテンツとで切り替わる場合において、現在の再生対象のコンテンツの種別を判定する判定手段と、
前記２Ｄコンテンツについてはビデオデータに含まれる２Ｄ画像を表示し、前記３Ｄコンテンツについては左目用画像と右目用画像のうちのいずれかを表示するモードである２Ｄ表示モードを、前記再生対象のコンテンツの表示モードとして設定する設定手段と、
前記２Ｄ表示モードで表示が行われるように前記再生対象のコンテンツを再生する再生手段と、
前記再生対象のコンテンツの種別が前記３Ｄコンテンツであると判定された場合、前記再生手段により再生が行われることによって得られたデータに基づいて前記再生対象のコンテンツを前記２Ｄ表示モードで表示しているときに、コンテンツの種別が前記３Ｄコンテンツであることを表す種別情報を表示する表示制御手段と
を備える表示制御装置。
【請求項２】
前記設定手段は、前記種別情報が表示された後にユーザにより指示されたことに応じて、前記３Ｄコンテンツのビデオデータに含まれる左目用画像と右目用画像を表示するモードである３Ｄ表示モードを設定し、
前記再生手段は、前記３Ｄ表示モードで表示が行われるように前記再生対象のコンテンツを再生し、
前記表示制御手段は、前記再生手段により再生が行われることによって得られたデータに基づいて、左目用画像と右目用画像を表示する
請求項１に記載の表示制御装置。
【請求項３】
前記設定手段は、前記３Ｄコンテンツである前記再生対象のコンテンツの再生が終了したタイミングで、前記２Ｄ表示モードを設定する
請求項２に記載の表示制御装置。
【請求項４】
前記設定手段は、前記表示制御装置の電源をオンにするタイミングで、前記２Ｄ表示モードを設定する
請求項１に記載の表示制御装置。
【請求項５】
前記再生対象のコンテンツは放送コンテンツであり、
前記設定手段は、受信するチャンネルを切り替えるタイミングで、前記２Ｄ表示モードを設定する
請求項１に記載の表示制御装置。
【請求項６】
再生対象のコンテンツが、２Ｄ画像からなるビデオデータを有する２Ｄコンテンツと、左目用画像と右目用画像からなるビデオデータを有する３Ｄコンテンツとで切り替わる場合において、現在の再生対象のコンテンツの種別を判定し、
前記２Ｄコンテンツについてはビデオデータに含まれる２Ｄ画像を表示し、前記３Ｄコンテンツについては左目用画像と右目用画像のうちのいずれかを表示するモードである２Ｄ表示モードを、前記再生対象のコンテンツの表示モードとして設定し、
前記２Ｄ表示モードで表示が行われるように前記再生対象のコンテンツを再生し、
前記再生対象のコンテンツの種別が前記３Ｄコンテンツであると判定した場合、再生を行うことによって得られたデータに基づいて前記再生対象のコンテンツを前記２Ｄ表示モードで表示しているときに、コンテンツの種別が前記３Ｄコンテンツであることを表す種別情報を表示する
ステップを含む表示制御方法。
【請求項７】
再生対象のコンテンツが、２Ｄ画像からなるビデオデータを有する２Ｄコンテンツと、左目用画像と右目用画像からなるビデオデータを有する３Ｄコンテンツとで切り替わる場合において、現在の再生対象のコンテンツの種別を判定し、
前記２Ｄコンテンツについてはビデオデータに含まれる２Ｄ画像を表示し、前記３Ｄコンテンツについては左目用画像と右目用画像のうちのいずれかを表示するモードである２Ｄ表示モードを、前記再生対象のコンテンツの表示モードとして設定し、
前記２Ｄ表示モードで表示が行われるように前記再生対象のコンテンツを再生し、
前記再生対象のコンテンツの種別が前記３Ｄコンテンツであると判定した場合、再生を行うことによって得られたデータに基づいて前記再生対象のコンテンツを前記２Ｄ表示モードで表示しているときに、コンテンツの種別が前記３Ｄコンテンツであることを表す種別情報を表示する
ステップを含む処理をコンピュータに実行させるプログラム。
【発明の詳細な説明】
【技術分野】
【０００１】
本発明は、表示制御装置、表示制御方法、およびプログラムに関し、特に、２Ｄコンテンツと３Ｄコンテンツが混在する場合であってもコンテンツを快適に視聴することができるようにした表示制御装置、表示制御方法、およびプログラムに関する。
【背景技術】
【０００２】
LCD(Liquid Crystal Display)などのディスプレイの画素数の向上やフレームレートの向上に伴い実現可能になった画像の表示方式として３Ｄ（３次元）表示方式がある。３Ｄ表示方式によれば、視聴者は被写体を立体的に認識することが可能になる。
【０００３】
以下、適宜、被写体を立体的に認識できる画像を３Ｄ画像といい、３Ｄ画像表示用のビデオデータを有するコンテンツを３Ｄコンテンツという。被写体を立体的に認識することができない通常の平面画像は２Ｄ画像となり、３Ｄ画像表示用のビデオデータを有していないコンテンツは２Ｄコンテンツとなる。
【０００４】
３Ｄ画像の表示方式には、視差のある左目用画像（Ｌ画像）と右目用画像（Ｒ画像）を交互に表示するフレームシーケンシャル方式がある。Ｌ画像とＲ画像をシャッタメガネによって視聴者の左右のそれぞれの目に届けることにより、立体感を視聴者に感じさせることが可能になる。
【０００５】
特許文献１には、立体画像であることを表す識別マークを立体画像データ内に符号化する技術が記載されている。
【先行技術文献】
【特許文献】
【０００６】
【特許文献１】特開２００７−３６５２８号公報
【発明の概要】
【発明が解決しようとする課題】
【０００７】
将来的に、３Ｄコンテンツの番組（３Ｄ番組）が放送されるようになることが考えられる。また、全ての番組が３Ｄ番組になるのではなく、３Ｄ番組と、２Ｄコンテンツの番組（２Ｄ番組）が混在して放送されるようになることが考えられる。
【０００８】
図１は、２Ｄ番組と３Ｄ番組が混在して放送される場合のテレビジョン受像機の表示の例を示す図である。
【０００９】
図１の上段の帯は、１つのチャンネルであるチャンネルＡで放送される番組を示す。図１の例においては、時刻ｔ１からｔ２までの時間帯に２Ｄ番組Ａが放送され、時刻ｔ２からｔ３までの時間帯に３Ｄ番組Ａが放送され、時刻ｔ３からｔ４までの時間帯に２Ｄ番組Ｂが放送されるものとされている。
【００１０】
３Ｄ番組Ａは、３Ｄ画像表示用のデータとして、例えばH.264 AVC/MVC(Advanced Video Coding/Multi-view Video coding)方式で符号化されたビデオデータを有するコンテンツである。３Ｄ番組Ａが有するビデオデータは、各フレームを表示順に並べたときにＬ画像のフレームとＲ画像のフレームが交互に配置されたデータになる。Ｌ画像とＲ画像はそれぞれ、例えばフル解像度（1920×1080画素）の画像である。
【００１１】
図１の下段は、チャンネルＡで放送されるそれぞれの番組を３Ｄ表示モードで表示した場合のテレビジョン受像機の表示を模式的に示す。テレビジョン受像機の表示モードには３Ｄ表示モードと２Ｄ表示モードがあり、いずれかのモードが設定される。
【００１２】
図２は、３ＤコンテンツがH.264 AVC/MVC方式で符号化されたビデオデータを有するコンテンツである場合の、各表示モードの表示方式について説明する図である。
【００１３】
図２に示すように、３Ｄ表示モードが設定されている場合、再生対象のコンテンツが２Ｄコンテンツであるときには、ビデオデータに含まれる全フレームが順に表示される。これにより、再生対象の２Ｄコンテンツのビデオは、シャッタメガネをかけていてもかけていなくても、２Ｄ画像として見えることになる。
【００１４】
３Ｄ表示モードが設定されている場合、再生対象のコンテンツが３Ｄコンテンツであるときには、ビデオデータに含まれる全フレームであるＬ画像のフレームとＲ画像のフレームが交互に表示される。これにより、再生対象の３Ｄコンテンツのビデオは、シャッタメガネをかけているときには、３Ｄ画像として見えることになる。
【００１５】
２Ｄ表示モードが設定されている場合、再生対象のコンテンツが２Ｄコンテンツであるときには、ビデオデータに含まれる全フレームが順に表示される。これにより、再生対象の２Ｄコンテンツのビデオは、シャッタメガネをかけていてもかけていなくても、２Ｄ画像として見えることになる。
【００１６】
２Ｄ表示モードが設定されている場合、再生対象のコンテンツが３Ｄコンテンツであるときには、ビデオデータに含まれるＬ画像のフレームとＲ画像のフレームのうちの、例えばＬ画像のフレームだけが表示される。これにより、再生対象の３Ｄコンテンツのビデオは、シャッタメガネをかけていてもかけていなくても、２Ｄ画像として見えることになる。
【００１７】
図１の２Ｄ番組Ａ、３Ｄ番組Ａ、および２Ｄ番組Ｂを、３Ｄ表示モードで表示する場合について説明する。ユーザはシャッタメガネをかけていないものとする。
【００１８】
時刻ｔ１においてチャンネルＡの受信が開始された場合、２Ｄ番組Ａについては、ビデオデータに含まれる全フレームを表示するように再生が行われる。白抜き矢印＃１の先に示すように、２Ｄ番組Ａのビデオはそのまま２Ｄ画像として見えることになる。
【００１９】
また、時刻ｔ２において２Ｄ番組Ａの放送が終了し、３Ｄ番組Ａの放送が開始されたとき、３Ｄ番組Ａについては、ビデオデータに含まれる全フレームであるＬ画像のフレームとＲ画像のフレームが交互に表示される。
【００２０】
シャッタメガネをかけていないから、３Ｄ番組Ａのビデオは３Ｄ画像としては見ることができず、白抜き矢印＃２の先に示すように、ぼけた２Ｄ画像が見えるだけになる。３Ｄ番組Ａのビデオの表示例として被写体をずらして２つ示していることは、Ｌ画像のフレームとＲ画像のフレームが交互に表示されることを表す。
【００２１】
従って、それまで（時刻ｔ２まで）普通に視聴できていたものが、突然ぼけて見えることになり、これにより、ユーザは驚いてしまったり、テレビジョン受像機が故障したと勘違いしてしまったりすることになる。
【００２２】
シャッタメガネをかけた状態で電源を入れたりチャンネルを切り替えたりしない限り、テレビジョン受像機の電源を入れた直後の番組が３Ｄ番組であった場合、またはチャンネルを切り替えた直後の番組が３Ｄ番組であった場合も同様である。
【００２３】
なお、白抜き矢印＃３の先に示すように、２Ｄ番組Ｂのビデオは、２Ｄ番組Ａのビデオと同様に、そのまま２Ｄ画像として見えることになる。
【００２４】
図３は、２Ｄ番組と３Ｄ番組が混在して放送される場合のテレビジョン受像機の表示の他の例を示す図である。図１と重複する説明については適宜省略する。
【００２５】
図３の例においては、時刻ｔ２からｔ３までの時間帯に３Ｄ番組Ｂが放送されるものとされている。３Ｄ番組Ｂは、Ｌ画像とＲ画像がside-by-side方式またはtop-and-bottom方式で符号化されたビデオデータを有するコンテンツである。
【００２６】
side-by-side方式は、１フレーム（フィールド）を左右に分割し、例えばＬ画像を左半分、Ｒ画像を右半分に挿入して各フレームを符号化する方式である。復号時、１フレームの左半分から抽出されたＬ画像と右半分から抽出されたＲ画像の解像度を表示解像度に合わせる（アスペクト比をディスプレイのアスペクト比に合わせる）ようにスケーリングし、交互に表示することによって３Ｄ画像の表示が行われる。
【００２７】
top-and-bottom方式は、１フレームを上下に分割し、例えばＬ画像を上半分、Ｒ画像を下半分に挿入して符号化する方式である。復号時、例えば、１フレームの上半分から抽出されたＬ画像と下半分から抽出されたＲ画像の解像度を表示解像度に合わせるようにスケーリングし、交互に表示することによって３Ｄ画像の表示が行われる。
【００２８】
図４は、３Ｄコンテンツがside-by-side方式またはtop-and-bottom方式で符号化されたビデオデータを有するコンテンツである場合の、各表示モードの表示方式について説明する図である。
【００２９】
３Ｄ表示モードが設定されている場合、再生対象のコンテンツが３Ｄコンテンツであるときには、ビデオデータに含まれる全フレームが表示対象となる。各フレームからＬ画像とＲ画像が抽出され、スケーリングが行われた後、Ｌ画像のフレームとＲ画像のフレームが交互に表示される。これにより、再生対象の３Ｄコンテンツのビデオは、シャッタメガネをかけているときには、３Ｄ画像として見えることになる。
【００３０】
２Ｄ表示モードが設定されている場合、再生対象のコンテンツが３Ｄコンテンツであるときには、ビデオデータに含まれる全フレームが表示対象となる。この場合、各フレームからＬ画像とＲ画像を抽出したり、スケーリングを行ったりすることなく、各フレームがそのまま表示される。
【００３１】
図４において、再生対象のコンテンツが２Ｄコンテンツであるときの表示は、図２を参照して説明したものと同様である。
【００３２】
図３の２Ｄ番組Ａ、３Ｄ番組Ｂ、および２Ｄ番組Ｂを、２Ｄ表示モードで表示する場合について説明する。ユーザはシャッタメガネをかけていないものとする。
【００３３】
時刻ｔ１にチャンネルＡの受信が開始された場合、２Ｄ番組Ａについては、ビデオデータに含まれる全フレームを表示するように再生が行われる。白抜き矢印＃１の先に示すように、２Ｄ番組Ａのビデオはそのまま２Ｄ画像として見えることになる。
【００３４】
また、時刻ｔ２において２Ｄ番組Ａの放送が終了し、３Ｄ番組Ｂの放送が開始されたとき、３Ｄ番組Ｂについては、ビデオデータに含まれる全フレームがそのまま、抽出やスケーリングを行うことなく表示される。白抜き矢印＃２の先に示すように、３Ｄ番組Ｂのビデオは、１フレームに挿入されているＬ画像とＲ画像を同時に表示するものになる。
【００３５】
従って、それまで普通に視聴できていたものが、突然、画面が半分に分割された上に、形が歪んだ被写体が表示されることになり、これによっても、ユーザは驚いてしまったり、テレビジョン受像機が故障したと勘違いしてしまったりすることになる。
【００３６】
２Ｄ番組と３Ｄ番組が混在している場合であっても、２Ｄ番組のビデオについては２Ｄ画像として通常通り視聴でき、３Ｄ番組のビデオについては、不自然な画像を一度も見ることなく、正しい３Ｄ画像として視聴できることが好ましい。
【００３７】
本発明はこのような状況に鑑みてなされたものであり、２Ｄコンテンツと３Ｄコンテンツが混在する場合であってもコンテンツを快適に視聴することができるようにするものである。
【課題を解決するための手段】
【００３８】
本発明の一側面の表示制御装置は、再生対象のコンテンツが、２Ｄ画像からなるビデオデータを有する２Ｄコンテンツと、左目用画像と右目用画像からなるビデオデータを有する３Ｄコンテンツとで切り替わる場合において、現在の再生対象のコンテンツの種別を判定する判定手段と、前記２Ｄコンテンツについてはビデオデータに含まれる２Ｄ画像を表示し、前記３Ｄコンテンツについては左目用画像と右目用画像のうちのいずれかを表示するモードである２Ｄ表示モードを、前記再生対象のコンテンツの表示モードとして設定する設定手段と、前記２Ｄ表示モードで表示が行われるように前記再生対象のコンテンツを再生する再生手段と、前記再生対象のコンテンツの種別が前記３Ｄコンテンツであると判定された場合、前記再生手段により再生が行われることによって得られたデータに基づいて前記再生対象のコンテンツを前記２Ｄ表示モードで表示しているときに、コンテンツの種別が前記３Ｄコンテンツであることを表す種別情報を表示する表示制御手段とを備える。
【００３９】
前記設定手段には、前記種別情報が表示された後にユーザにより指示されたことに応じて、前記３Ｄコンテンツのビデオデータに含まれる左目用画像と右目用画像を表示するモードである３Ｄ表示モードを設定させ、前記再生手段には、前記３Ｄ表示モードで表示が行われるように前記再生対象のコンテンツを再生させ、前記表示制御手段には、前記再生手段により再生が行われることによって得られたデータに基づいて、左目用画像と右目用画像を表示させることができる。
【００４０】
前記設定手段には、前記３Ｄコンテンツである前記再生対象のコンテンツの再生が終了したタイミングで、前記２Ｄ表示モードを設定させることができる。
【００４１】
前記設定手段には、前記表示制御装置の電源をオンにするタイミングで、前記２Ｄ表示モードを設定させることができる。
【００４２】
前記再生対象のコンテンツは放送コンテンツであり、前記設定手段には、受信するチャンネルを切り替えるタイミングで、前記２Ｄ表示モードを設定させることができる。
【００４３】
本発明の一側面の表示制御方法は、再生対象のコンテンツが、２Ｄ画像からなるビデオデータを有する２Ｄコンテンツと、左目用画像と右目用画像からなるビデオデータを有する３Ｄコンテンツとで切り替わる場合において、現在の再生対象のコンテンツの種別を判定し、前記２Ｄコンテンツについてはビデオデータに含まれる２Ｄ画像を表示し、前記３Ｄコンテンツについては左目用画像と右目用画像のうちのいずれかを表示するモードである２Ｄ表示モードを、前記再生対象のコンテンツの表示モードとして設定し、前記２Ｄ表示モードで表示が行われるように前記再生対象のコンテンツを再生し、前記再生対象のコンテンツの種別が前記３Ｄコンテンツであると判定した場合、再生を行うことによって得られたデータに基づいて前記再生対象のコンテンツを前記２Ｄ表示モードで表示しているときに、コンテンツの種別が前記３Ｄコンテンツであることを表す種別情報を表示するステップを含む。
【００４４】
本発明の一側面のプログラムは、再生対象のコンテンツが、２Ｄ画像からなるビデオデータを有する２Ｄコンテンツと、左目用画像と右目用画像からなるビデオデータを有する３Ｄコンテンツとで切り替わる場合において、現在の再生対象のコンテンツの種別を判定し、前記２Ｄコンテンツについてはビデオデータに含まれる２Ｄ画像を表示し、前記３Ｄコンテンツについては左目用画像と右目用画像のうちのいずれかを表示するモードである２Ｄ表示モードを、前記再生対象のコンテンツの表示モードとして設定し、前記２Ｄ表示モードで表示が行われるように前記再生対象のコンテンツを再生し、前記再生対象のコンテンツの種別が前記３Ｄコンテンツであると判定した場合、再生を行うことによって得られたデータに基づいて前記再生対象のコンテンツを前記２Ｄ表示モードで表示しているときに、コンテンツの種別が前記３Ｄコンテンツであることを表す種別情報を表示するステップを含む処理をコンピュータに実行させる。
【００４５】
本発明の一側面においては、再生対象のコンテンツが、２Ｄ画像からなるビデオデータを有する２Ｄコンテンツと、左目用画像と右目用画像からなるビデオデータを有する３Ｄコンテンツとで切り替わる場合において、現在の再生対象のコンテンツの種別が判定され、前記２Ｄコンテンツについてはビデオデータに含まれる２Ｄ画像を表示し、前記３Ｄコンテンツについては左目用画像と右目用画像のうちのいずれかを表示するモードである２Ｄ表示モードが、前記再生対象のコンテンツの表示モードとして設定される。また、前記２Ｄ表示モードで表示が行われるように前記再生対象のコンテンツが再生され、前記再生対象のコンテンツの種別が前記３Ｄコンテンツであると判定された場合、再生が行われることによって得られたデータに基づいて前記再生対象のコンテンツが前記２Ｄ表示モードで表示されているときに、コンテンツの種別が前記３Ｄコンテンツであることを表す種別情報が表示される。
【発明の効果】
【００４６】
本発明によれば、２Ｄコンテンツと３Ｄコンテンツが混在する場合であってもコンテンツを快適に視聴することができる。
【図面の簡単な説明】
【００４７】
【図１】２Ｄ番組と３Ｄ番組が混在して放送される場合のテレビジョン受像機の表示の例を示す図である。
【図２】３ＤコンテンツがH.264 AVC/MVC方式で符号化されたビデオデータを有するコンテンツである場合の、各表示モードの表示方式について説明する図である。
【図３】２Ｄ番組と３Ｄ番組が混在して放送される場合のテレビジョン受像機の表示の他の例を示す図である。
【図４】３Ｄコンテンツがside-by-side方式またはtop-and-bottom方式で符号化されたビデオデータを有するコンテンツである場合の、各表示モードの表示方式について説明する図である。
【図５】２Ｄ番組と３Ｄ番組が混在して放送される場合の、本発明の一実施形態に係るテレビジョン受像機の表示の例を示す図である。
【図６】３ＤコンテンツがH.264 AVC/MVC方式で符号化されたビデオデータを有するコンテンツである場合の、各表示モードの表示方式について説明する図である。
【図７】３Ｄコンテンツがside-by-side方式またはtop-and-bottom方式で符号化されたビデオデータを有するコンテンツである場合の、各表示モードの表示方式について説明する図である。
【図８】テレビジョン受像機の構成例を示すブロック図である。
【図９】テレビジョン受像機の表示モード設定処理について説明するフローチャートである。
【図１０】コンピュータのハードウェアの構成例を示すブロック図である。
【発明を実施するための形態】
【００４８】
［表示モードの切り替え］
図５は、２Ｄ番組と３Ｄ番組が混在して放送される場合の、本発明の一実施形態に係るテレビジョン受像機１（図８）の表示の例を示す図である。
【００４９】
図５に示す例は、３Ｄ番組の表示が異なる点を除いて、基本的に、図１または図３を参照して説明した例と同様である。図５の例においては、チャンネルＡによって、時刻ｔ１からｔ２までの時間帯に２Ｄ番組Ａが放送され、時刻ｔ２からｔ３までの時間帯に３Ｄ番組Ｃが放送され、時刻ｔ３からｔ４までの時間帯に２Ｄ番組Ｂが放送される。
【００５０】
はじめに、３Ｄ番組Ｃが、H.264 AVC方式で符号化されたビデオデータを有するコンテンツである場合について説明する。３Ｄ番組Ｃが有するビデオデータは、各フレームを表示順に並べたときに、Ｌ画像のフレームとＲ画像のフレームが交互に配置されたデータになる。Ｌ画像とＲ画像はそれぞれ、例えばフル解像度の画像である。
【００５１】
テレビジョン受像機１においては、３Ｄ表示モードと２Ｄ表示モードのうちの２Ｄ表示モードが、ビデオのデフォルトの表示モードとして設定される。デフォルトの表示モードとして設定される２Ｄ表示モードを２Ｄ標準表示モードという。２Ｄ標準表示モードは、テレビジョン受像機１の電源オン時、チャンネル切り替え時などのタイミングで設定される。
【００５２】
図６は、３ＤコンテンツがH.264 AVC/MVC方式で符号化されたビデオデータを有するコンテンツである場合の、各表示モードの表示方式について説明する図である。
【００５３】
３Ｄ表示モードが設定されているときの表示は、図２を参照して説明した３Ｄ表示モードが設定されているときの表示と同じである。また、２Ｄ標準表示モードが設定されているときの表示は、図２を参照して説明した２Ｄ表示モードが設定されているときの表示と同じである。
【００５４】
図６に示すように、３Ｄ表示モードが設定されている場合、再生対象のコンテンツが２Ｄコンテンツであるときには、ビデオデータに含まれる全フレームが順に表示される。
【００５５】
また、３Ｄ表示モードが設定されている場合、再生対象のコンテンツが３Ｄコンテンツであるときには、ビデオデータに含まれる全フレームであるＬ画像のフレームとＲ画像のフレームが交互に表示される。
【００５６】
２Ｄ標準表示モードが設定されている場合、再生対象のコンテンツが２Ｄコンテンツであるときには、ビデオデータに含まれる全フレームが順に表示される。
【００５７】
また、２Ｄ標準表示モードが設定されている場合、再生対象のコンテンツが３Ｄコンテンツであるときには、ビデオデータに含まれるＬ画像のフレームとＲ画像のフレームのうちの、例えばＬ画像のフレームだけが表示される。
【００５８】
図５の２Ｄ番組Ａ、３Ｄ番組Ｃ、および２Ｄ番組Ｂを表示する場合について説明する。
【００５９】
電源オンが指示されたことに応じて、またはチャンネルの切り替えが指示されたことに応じて、時刻ｔ１においてチャンネルＡの受信が開始された場合、表示モードとして２Ｄ標準表示モードが設定される。２Ｄ番組Ａについては、ビデオデータに含まれる全フレームを表示するように再生が行われる。白抜き矢印＃１の先に示すように、２Ｄ番組Ａのビデオはそのまま２Ｄ画像として見えることになる。
【００６０】
時刻ｔ２において２Ｄ番組Ａの放送が終了し、３Ｄ番組Ｃの放送が開始されたとき、３Ｄ番組Ｃについては、ビデオデータに含まれる全フレームであるＬ画像のフレームとＲ画像のフレームのうちのＬ画像のフレームだけが表示される。この時点では、３Ｄ番組Ｃのビデオは２Ｄ画像として見えることになる。
【００６１】
また、現在放送中の３Ｄ番組Ｃが、３Ｄ番組であると判定された場合、白抜き矢印＃２の先に示すように、ビデオに重ねて、現在放送中の番組が３Ｄ番組であることを表す種別情報である３Ｄマークｍが表示される。
【００６２】
ユーザは、３Ｄマークｍを見ることによって、３Ｄ番組Ｃが３Ｄ番組であることを知ることができる。ユーザは、３Ｄ画像を見るために用意されているシャッタメガネをかけた後、リモートコントローラを操作するなどして表示モードを３Ｄ表示モードに切り替えることを指示する。
【００６３】
表示モードを３Ｄ表示モードに切り替えることが指示された場合、テレビジョン受像機１においては、２Ｄ標準表示モードから３Ｄ表示モードに表示モードが切り替えられる。また、白抜き矢印＃１１の先に示すように、３Ｄマークｍの表示が消され、３Ｄ番組Ｃのビデオデータに含まれるＬ画像とＲ画像の各フレームが交互に表示される。
【００６４】
３Ｄマークｍを確認した後にシャッタメガネをかけているから、ユーザは、３Ｄ番組Ｃのビデオを３Ｄ画像として見ることになる。
【００６５】
時刻ｔ３において３Ｄ番組Ｃの放送が終了し、２Ｄ番組Ｂの放送が開始されたとき、２Ｄ番組Ｂについては、ビデオデータに含まれる全フレームを表示するように再生が行われる。白抜き矢印＃３の先に示すように、２Ｄ番組Ｂのビデオはそのまま２Ｄ画像として見えることになる。
【００６６】
３Ｄ番組Ｃの放送が終了したタイミングで、表示モードが３Ｄ表示モードから２Ｄ標準表示モードに切り替えられるようにしてもよい。この場合も、２Ｄ番組Ｂのビデオは、２Ｄ標準表示モードで、２Ｄ画像として見えるように表示されることになる。
【００６７】
３Ｄ表示モードに切り替えることがユーザにより指示された後に３Ｄ画像の再生が行われるから、受信中の番組が２Ｄ番組から３Ｄ番組に切り替わった場合でも、３Ｄ番組のビデオとしてぼけたビデオをユーザに見せないようにすることが可能となる。
【００６８】
次に、図５の３Ｄ番組Ｃが、side-by-side方式またはtop-and-bottom方式で符号化されたビデオデータを有するコンテンツである場合について説明する。
【００６９】
この場合も、テレビジョン受像機１においては、電源オン時、チャンネル切り替え時などのタイミングで２Ｄ標準表示モードが設定される。
【００７０】
図７は、３Ｄコンテンツがside-by-side方式またはtop-and-bottom方式で符号化されたビデオデータを有するコンテンツである場合の、各表示モードの表示方式について説明する図である。
【００７１】
２Ｄ標準表示モードが設定されている場合、再生対象のコンテンツが２Ｄコンテンツであるときには、ビデオデータに含まれる全フレームが順に表示される。
【００７２】
また、２Ｄ標準表示モードが設定されている場合、再生対象のコンテンツが３Ｄコンテンツであるときには、ビデオデータに含まれる各フレームに挿入されているＬ画像とＲ画像のうちの、例えばＬ画像だけが抽出される。また、抽出されたＬ画像が、解像度を表示解像度に合わせるようにスケーリングされた後、表示される。
【００７３】
図７において、再生対象のコンテンツが２Ｄコンテンツであるときの表示は、図６を参照して説明したものと同様である。
【００７４】
図５の２Ｄ番組Ａ、３Ｄ番組Ｃ、および２Ｄ番組Ｂを表示する場合について説明する。
【００７５】
電源オンが指示されたことに応じて、またはチャンネルの切り替えが指示されたことに応じて、時刻ｔ１においてチャンネルＡの受信が開始された場合、表示モードとして２Ｄ標準表示モードが設定される。２Ｄ番組Ａについては、ビデオデータに含まれる全フレームを表示するように再生が行われる。白抜き矢印＃１の先に示すように、２Ｄ番組Ａのビデオはそのまま２Ｄ画像として見えることになる。
【００７６】
時刻ｔ２において２Ｄ番組Ａの放送が終了し、３Ｄ番組Ｃの放送が開始されたとき、３Ｄ番組Ｃについては、ビデオデータの各フレームに含まれるＬ画像とＲ画像のうちのＬ画像だけが抽出され、解像度を表示解像度に合わせるようにスケーリングされた後、表示される。
【００７７】
すなわち、３Ｄ番組Ｃのビデオデータがside-by-side方式で符号化されている場合、例えば各フレームの左半分に挿入されているＬ画像だけが抽出され、解像度を表示解像度に合わせるようにスケーリングされた後、表示される。
【００７８】
一方、３Ｄ番組Ｃのビデオデータがtop-and-bottom方式で符号化されている場合、例えば各フレームの上半分に挿入されているＬ画像だけが抽出され、解像度を表示解像度に合わせるようにスケーリングされた後、表示される。
【００７９】
この時点では、３Ｄ番組Ｃのビデオは２Ｄ画像として見えることになる。
【００８０】
また、現在放送中の３Ｄ番組Ｃが、３Ｄ番組であると判定された場合、白抜き矢印＃２の先に示すように、ビデオに重ねて３Ｄマークｍが表示される。
【００８１】
表示モードを３Ｄ表示モードに切り替えることが指示された場合、２Ｄ標準表示モードから３Ｄ表示モードに表示モードが切り替えられる。また、白抜き矢印＃１１の先に示すように、３Ｄマークｍの表示が消され、３Ｄ番組Ｃのビデオデータに含まれるＬ画像とＲ画像の各フレームが交互に表示される。
【００８２】
３Ｄ番組Ｃのビデオデータがside-by-side方式で符号化されている場合、各フレームの左半分に挿入されているＬ画像と右半分に挿入されているＲ画像が抽出され、それぞれ解像度を表示解像度に合わせるようにスケーリングされた後、交互に表示される。
【００８３】
一方、３Ｄ番組Ｃのビデオデータがtop-and-bottom方式で符号化されている場合、各フレームの上半分に挿入されているＬ画像と下半分に挿入されているＲ画像が抽出され、それぞれ解像度を表示解像度に合わせるようにスケーリングされた後、交互に表示される。
【００８４】
時刻ｔ３において３Ｄ番組Ｃの放送が終了し、２Ｄ番組Ｂの放送が開始されたとき、２Ｄ番組Ｂについては、ビデオデータに含まれる全フレームを表示するように再生が行われる。白抜き矢印＃３の先に示すように、２Ｄ番組Ｂのビデオはそのまま２Ｄ画像として見えることになる。
【００８５】
３Ｄ表示モードに切り替えることがユーザにより指示された後に３Ｄ画像の再生が行われるから、受信中の番組が２Ｄ番組から３Ｄ番組に切り替わった場合でも、被写体の形が歪んでいるＬ画像とＲ画像が同時に１フレーム内に表示されるビデオをユーザに見せないようにすることが可能となる。
【００８６】
以上のようにして表示モードを設定するテレビジョン受像機１の処理については後述する。
【００８７】
［テレビジョン受像機１の構成例］
図８は、テレビジョン受像機１の構成例を示すブロック図である。
【００８８】
図８に示すように、テレビジョン受像機１は、受信部１２、再生部１３、表示制御部１４、ディスプレイ１５、制御部１６、および操作入力部１７から構成される。制御部１６は、種別判定部２１とモード設定部２２から構成される。放送波を受信するアンテナ１１から供給される受信信号は受信部１２に入力される。
【００８９】
受信部１２は、受信信号に対して復調処理、A/D変換処理などを施し、番組のデータを生成する。受信部１２は、放送中の番組のデータを再生部１３と種別判定部２１に出力する。
【００９０】
再生部１３は、モード設定部２２により設定された表示モードに従って、図６または図７を参照して説明したようにして、受信中の番組のビデオデータを再生する。受信中の番組の種別を表す情報は種別判定部２１から供給される。再生部１３は、再生して得られた各フレームのデータを表示制御部１４に出力する。なお、番組のオーディオデータも図示せぬ回路において再生され、スピーカから出力される。
【００９１】
表示制御部１４は、再生部１３から供給されたデータに基づいて、各フレームをディスプレイ１５に表示させる。また、表示制御部１４は、種別判定部２１から供給された情報に基づいて、受信中の番組が３Ｄ番組であると判定した場合、３Ｄマークをディスプレイ１５に表示させる。
【００９２】
制御部１６の種別判定部２１は、受信部１２から供給された番組のデータに基づいて、受信中の番組の種別を判定する。
【００９３】
受信中の番組の種別として、例えば、受信中の番組が２Ｄ番組であるのか３Ｄ番組であるのかが判定される。また、３Ｄ番組のビデオデータがH.264 AVC/MVC方式で符号化されたものであるのか、side-by-side方式またはtop-and-bottom方式で符号化されたものであるのかが判定される。これらの判定は、例えば、番組のデータに含まれるビデオデータの中に設定されているフラグに基づいて、または、ビデオデータを解析することによって判定される。
【００９４】
種別判定部２１は、受信中の番組の種別を表す情報を再生部１３と表示制御部１４に出力する。
【００９５】
モード設定部２２は、操作入力部１７から供給された信号に基づいてビデオの表示モードを設定し、設定している表示モードの情報を再生部１３に出力する。
【００９６】
例えば、モード設定部２２は、電源オンを指示する信号またはチャンネルの切り替えを指示する信号が操作入力部１７から供給された場合、表示モードとして２Ｄ標準表示モードを設定する。また、モード設定部２２は、３Ｄマークが表示された後に表示モードを３Ｄ表示モードに切り替えることを指示する信号が操作入力部１７から供給された場合、表示モードを、２Ｄ標準表示モードから３Ｄ表示モードに切り替える。
【００９７】
操作入力部１７は、テレビジョン受像機１の筐体表面やリモートコントローラに設けられたボタンに対するユーザの操作を検出し、ユーザの操作の内容を表す信号をモード設定部２２に出力する。
【００９８】
［テレビジョン受像機１の動作］
次に、図９のフローチャートを参照して、表示モードを設定するテレビジョン受像機１の処理について説明する。
【００９９】
図９の処理は、電源オンが指示されたときやチャンネルの切り替えが指示されたときなどのタイミングで開始される。
【０１００】
ステップＳ１において、モード設定部２２は２Ｄ標準表示モードを設定する。再生部１３においては、受信中の番組が２Ｄ標準表示モードで再生される。２Ｄ標準表示モードで再生されることによって得られた各フレームのデータは表示制御部１４に供給され、各フレームがディスプレイ１５に表示される。ユーザは、受信中の番組のビデオを２Ｄ画像として見ることになる。
【０１０１】
ステップＳ２において、種別判定部２１は、受信中の番組が３Ｄ番組であるか否かを判定し、３Ｄ番組であると判定するまで待機する。
【０１０２】
３Ｄ番組であるとステップＳ２において判定された場合、ステップＳ３において、表示制御部１４は、３Ｄ表示モードが設定されているか否かを判定する。
【０１０３】
３Ｄ表示モードが設定されていないとステップＳ３において判定した場合、ステップＳ４において、表示制御部１４は、２Ｄ標準表示モードで表示している受信中の番組のビデオに重ねて３Ｄマークを表示させる。
【０１０４】
ステップＳ５において、モード設定部２２は、表示モードを３Ｄ表示モードに切り替えることが指示されたか否かを判定する。
【０１０５】
表示モードを３Ｄ表示モードに切り替えることが指示されたとステップＳ５において判定した場合、ステップＳ６において、モード設定部２２は、表示モードとして３Ｄ表示モードを設定する。
【０１０６】
ステップＳ６において表示モードが３Ｄ表示モードに切り替えられた後、ステップＳ２に戻り、以上の処理が行われる。ステップＳ３において３Ｄ表示モードが設定されていると判定された場合、または、ステップＳ５において３Ｄ表示モードに切り替えることが指示されていないと判定された場合も、ステップＳ２以降の処理が繰り返される。
【０１０７】
ステップＳ５において３Ｄ表示モードに切り替えることが指示されていないと判定された場合、ステップＳ４で表示された３Ｄマークが所定の時間経過後に消されるようにしてもよい。また、同じ３Ｄ番組が放送されている間に３Ｄマークが表示される回数が、一度だけ、またはユーザにより設定された回数に制限されるようにしてもよい。
【０１０８】
以上の処理により、テレビジョン受像機１は、受信中の番組が２Ｄ番組から３Ｄ番組に切り替わった場合でも、３Ｄ番組のビデオとして、正常でないビデオをユーザに見せないようにすることが可能となる。また、ユーザは、３Ｄ番組を快適に視聴することができる。
【０１０９】
［変形例］
放送番組の表示モードを切り替える場合について説明したが、以上の処理は、インターネットを介して配信される番組の表示モードを切り替える場合にも適用可能である。また、Blu-ray（商標） Discやハードディスクなどの記録媒体に２Ｄコンテンツと３Ｄコンテンツが混在して記録されている場合に、それらのコンテンツを連続して再生するときにも適用可能である。
【０１１０】
また、以上においては、受信中の番組が３Ｄ番組であることを、３Ｄマーク（画像）を表示して通知するものとしたが、テキストを表示することによって通知するようにしてもよいし、スピーカから出力する音声で通知するようにしてもよい。
【０１１１】
［コンピュータの構成例］
上述した一連の処理は、ハードウェアにより実行することもできるし、ソフトウェアにより実行することもできる。一連の処理をソフトウェアにより実行する場合には、そのソフトウェアを構成するプログラムが、専用のハードウェアに組み込まれているコンピュータ、または汎用のパーソナルコンピュータなどに、プログラム記録媒体からインストールされる。
【０１１２】
図１０は、上述した一連の処理をプログラムにより実行するコンピュータのハードウェアの構成例を示すブロック図である。
【０１１３】
CPU(Central Processing Unit)５１、ROM(Read Only Memory)５２、RAM(Random Access Memory)５３は、バス５４により相互に接続されている。
【０１１４】
バス５４には、さらに、入出力インタフェース５５が接続されている。入出力インタフェース５５には、キーボード、マウスなどよりなる入力部５６、ディスプレイ、スピーカなどよりなる出力部５７が接続される。また、入出力インタフェース５５には、ハードディスクや不揮発性のメモリなどよりなる記憶部５８、ネットワークインタフェースなどよりなる通信部５９、リムーバブルメディア６１を駆動するドライブ６０が接続される。
【０１１５】
以上のように構成されるコンピュータでは、CPU５１が、例えば、記憶部５８に記憶されているプログラムを入出力インタフェース５５及びバス５４を介してRAM５３にロードして実行することにより、上述した一連の処理が行われる。
【０１１６】
CPU５１が実行するプログラムは、例えばリムーバブルメディア６１に記録して、あるいは、ローカルエリアネットワーク、インターネット、デジタル放送といった、有線または無線の伝送媒体を介して提供され、記憶部５８にインストールされる。
【０１１７】
なお、コンピュータが実行するプログラムは、本明細書で説明する順序に沿って時系列に処理が行われるプログラムであっても良いし、並列に、あるいは呼び出しが行われたとき等の必要なタイミングで処理が行われるプログラムであっても良い。
【０１１８】
本発明の実施の形態は、上述した実施の形態に限定されるものではなく、本発明の要旨を逸脱しない範囲において種々の変更が可能である。
【符号の説明】
【０１１９】
１  テレビジョン受像機，  １２  受信部，  １３  再生部，  １４  表示制御部，  １５  ディスプレイ，  １６  制御部，  １７  操作入力部，  ２１  種別判定部，  ２２  モード設定部
【図１】
2011216964.tif 000003
【図２】
2011216964.tif 000004
【図３】
2011216964.tif 000005
【図４】
2011216964.tif 000006
【図５】
2011216964.tif 000007
【図６】
2011216964.tif 000008
【図７】
2011216964.tif 000009
【図８】
2011216964.tif 000010
【図９】
2011216964.tif 000011
【図１０】
2011216964.tif 000012